(57)【要約】【課題】ユーザに適した視聴環境でコンテンツを視聴させる。【解決手段】チューナは、画像により構成されるコンテンツを取得し、画像処理部は、コンテンツをディスプレイに表示させ、瞳孔間隔受信部は、コンテンツを視聴するユーザの左右の瞳孔の間隔を表す瞳孔間隔を取得する。そして、画像処理部は、瞳孔間隔に基づいて、所定の処理を行う。本開示の技術は、例えば、テレビジョン受像機等に適用できる。【選択図】図１
2012205267.tif 000002
【特許請求の範囲】
【請求項１】
画像により構成されるコンテンツを取得するコンテンツ取得部と、
前記コンテンツを表示部に表示させる表示制御部と、
前記コンテンツを視聴するユーザの左右の瞳孔の間隔を表す瞳孔間隔を取得する瞳孔間隔取得部と、
前記瞳孔間隔に基づいて、所定の処理を行う処理実行部と
を含む表示制御装置。
【請求項２】
前記ユーザまでの距離を表す視聴距離を取得する視聴距離取得部をさらに含み、
前記処理実行部は、前記瞳孔間隔及び前記視聴距離に基づき、前記コンテンツ取得部により取得された第１の前記コンテンツを変更して得られる第２の前記コンテンツを生成する処理を行い、
前記表示制御部は、前記第２のコンテンツを構成する各画像を、前記表示部に表示させる
請求項１に記載の表示制御装置。
【請求項３】
前記処理実行部は、前記第１のコンテンツを構成する各画像の大きさを、前記瞳孔間隔及び前記視聴距離に基づく大きさに変更して得られる前記第２のコンテンツを生成する処理を行う
請求項２に記載の表示制御装置。
【請求項４】
前記コンテンツ取得部は、前記ユーザの左眼に視認させる左眼用２次元画像と、前記ユーザの右眼に視認させる右眼用２次元画像とからなる３次元画像により構成される前記第１のコンテンツを取得し、
前記処理実行部は、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行う
請求項２に記載の表示制御装置。
【請求項５】
前記処理実行部は、前記瞳孔間隔に基づき決定されるメッセージを、画像又は音声の少なくとも一方により前記ユーザに提示する処理を行う
請求項１に記載の表示制御装置。
【請求項６】
前記処理実行部は、前記瞳孔間隔に応じた距離だけ離れて前記コンテンツを視聴するように促す前記メッセージを、画像又は音声の少なくとも一方により前記ユーザに提示する処理を行う
請求項５に記載の表示制御装置。
【請求項７】
複数の前記ユーザには、それぞれ、前記ユーザの視界を制限し、前記ユーザ毎に異なるタイミングで前記視界の制限を解除するための装置が装着されており、
前記表示制御部は、前記ユーザが視聴する前記第２のコンテンツを構成する各画像を、前記ユーザ毎に異なる前記タイミングに同期して表示させる
請求項２に記載の表示制御装置。
【請求項８】
前記瞳孔間隔取得部は、前記コンテンツの視聴時に前記ユーザに装着される送信装置から送信されてくる前記瞳孔間隔を受信して取得する
請求項１に記載の表示制御装置。
【請求項９】
前記瞳孔間隔取得部は、前記ユーザの瞳孔間隔を算出して取得し、
前記視聴距離取得部は、前記視聴距離を算出して取得する
請求項１に記載の表示制御装置。
【請求項１０】
画像により構成されるコンテンツを表示させる表示制御装置の表示制御方法において、
前記表示制御装置による、
複数の画像により構成されるコンテンツを取得するコンテンツ取得ステップと、
前記コンテンツを表示部に表示させる表示制御ステップと、
前記コンテンツを視聴するユーザの左右の瞳孔の間隔を表す瞳孔間隔を取得する瞳孔間隔取得ステップと、
前記瞳孔間隔に基づいて、所定の処理を行う処理実行ステップと
を含む表示制御方法。
【請求項１１】
コンピュータに、
画像により構成されるコンテンツを取得するコンテンツ取得ステップと、
前記コンテンツを表示部に表示させる表示制御ステップと、
前記コンテンツを視聴するユーザの左右の瞳孔の間隔を表す瞳孔間隔を取得する瞳孔間隔取得ステップと、
前記瞳孔間隔に基づいて、所定の処理を行う処理実行ステップと
を含む処理を実行させるためのプログラム。
【請求項１２】
前記ユーザまでの距離を表す視聴距離を取得する視聴距離取得ステップをさらに含み、
前記処理実行ステップは、前記瞳孔間隔及び前記視聴距離に基づき、前記コンテンツ取得部により取得された第１の前記コンテンツを変更して得られる第２の前記コンテンツを生成する処理を行い、
前記表示制御ステップは、前記第２のコンテンツを前記表示部に表示させる
請求項１１に記載のプログラム。
【請求項１３】
前記処理実行ステップは、前記第１のコンテンツを構成する各画像の大きさを、前記瞳孔間隔及び前記視聴距離に基づく大きさに変更して得られる前記第２のコンテンツを生成する処理を行う
請求項１２に記載のプログラム。
【請求項１４】
前記コンテンツ取得ステップは、前記ユーザの左眼に視認させる左眼用２次元画像と、前記ユーザの右眼に視認させる右眼用２次元画像とからなる３次元画像により構成される前記第１のコンテンツを取得し、
前記処理実行ステップは、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行う
請求項１２に記載のプログラム。
【請求項１５】
前記処理実行ステップは、前記瞳孔間隔に基づき決定されるメッセージを、画像又は音声の少なくとも一方により前記ユーザに提示する処理を行う
請求項１１に記載のプログラム。
【請求項１６】
コンテンツの視聴時にユーザに装着される検出装置において、
前記ユーザの左右の瞳孔の間隔を表す瞳孔間隔を検出する瞳孔間隔検出部と、
前記瞳孔間隔を送信する送信部と
を含む検出装置。
【請求項１７】
前記ユーザの左眼の瞳孔の位置に移動される第１の板状部材と、
前記ユーザの右眼の瞳孔の位置に移動される第２の板状部材と、
前記第１の板状部材と前記第２の板状部材との位置合わせに応じて伸縮する可動ブリッジと
をさらに含み、
前記瞳孔間隔検出部は、前記可動ブリッジの長さに基づいて、前記ユーザの瞳孔間隔を検出する
請求項１６に記載の検出装置。
【請求項１８】
前記視聴距離を算出する視聴距離算出部をさらに含み、
前記送信部は、前記視聴距離も送信する
請求項１６に記載の検出装置。
【請求項１９】
コンテンツの視聴時にユーザに装着される検出装置の検出方法において、
前記検出装置による、
前記ユーザの左右の瞳孔の間隔を表す瞳孔間隔を検出する瞳孔間隔検出ステップと、
前記瞳孔間隔を送信する送信ステップと
を含む検出方法。
【請求項２０】
ユーザにより装着される検出装置と、前記ユーザにより視聴されるコンテンツを表示させる表示制御装置とにより構成される表示システムにおいて、
前記検出装置は、
前記ユーザの左右の瞳孔の間隔を表す瞳孔間隔を検出する瞳孔間隔検出部と、
前記瞳孔間隔を送信する送信部と
を含み、
前記表示制御装置は、
画像により構成されるコンテンツを取得するコンテンツ取得部と、
前記コンテンツを表示部に表示させる表示制御部と、
前記送信部から送信されてくる前記瞳孔間隔を受信する瞳孔間隔受信部と、
前記瞳孔間隔に基づいて、所定の処理を行う処理実行部と
を含む表示システム。
【発明の詳細な説明】
【技術分野】
【０００１】
本開示は、表示制御装置、表示制御方法、検出装置、検出方法、プログラム、及び表示システムに関し、特に、ユーザに適した視聴環境でコンテンツを視聴できるようにした表示制御装置、表示制御方法、検出装置、検出方法、プログラム、及び表示システムに関する。
【背景技術】
【０００２】
複数の３次元画像により構成される動画等のコンテンツを、ディスプレイに表示する立体表示技術が存在する（例えば、特許文献１参照）。
【０００３】
ここで、３次元画像とは、左眼用２次元画像、及び右眼用２次元画像により構成されており、左眼用２次元画像と右眼用２次元画像との間には、鑑賞者により視認される３次元画像上の物体が立体的に見えるように視差が設けられている。
【０００４】
また、３次元画像を鑑賞者に提示する場合には、例えば、左眼用２次元画像を鑑賞者の左眼のみで視認できるように提示し、右眼用２次元画像を鑑賞者の右眼のみで視認できるように提示するようにする。
【０００５】
鑑賞者は、左眼用２次元画像と右眼用２次元画像に設けられた視差に応じて、視認した画像を立体的な３次元画像として認識することとなる。
【先行技術文献】
【特許文献】
【０００６】
【特許文献１】特開平１１−１６４３２８号公報
【発明の概要】
【発明が解決しようとする課題】
【０００７】
一般的に、鑑賞者は、左右の瞳孔の間隔を示す瞳孔間隔が狭い程に、視認する３次元画像上の物体をより立体的に感じるものとなる。
【０００８】
これに対して、コンテンツの製作者は、例えば、３次元画像としてのコンテンツを製作する際に、平均的な瞳孔間隔の鑑賞者（例えば、瞳孔間隔が6.5cmの鑑賞者）を想定し、その鑑賞者の視聴時に、製作者の意図した立体感で視聴可能なコンテンツを製作する。
【０００９】
したがって、鑑賞者の瞳孔間隔によっては、製作者の意図した立体感でコンテンツを視聴することができないことが生じ得る。このため、製作者の意図した立体感で鑑賞者にコンテンツを視聴させるには、鑑賞者の瞳孔間隔毎に異なる視聴環境（例えば、コンテンツを視聴する際の視聴距離や、コンテンツを表示する表示画面の大きさ等）でコンテンツを視聴させる必要がある。
【００１０】
本開示は、このような状況に鑑みてなされたものであり、ユーザに適した視聴環境でコンテンツを視聴できるようにするものである。
【課題を解決するための手段】
【００１１】
本開示の第１の側面の表示制御装置は、画像により構成されるコンテンツを取得するコンテンツ取得部と、前記コンテンツを表示部に表示させる表示制御部と、前記コンテンツを視聴するユーザの左右の瞳孔の間隔を表す瞳孔間隔を取得する瞳孔間隔取得部と、前記瞳孔間隔に基づいて、所定の処理を行う処理実行部とを含む表示制御装置である。
【００１２】
前記ユーザまでの距離を表す視聴距離を取得する視聴距離取得部をさらに設けることができ、前記処理実行部では、前記瞳孔間隔及び前記視聴距離に基づき、前記コンテンツ取得部により取得された第１の前記コンテンツを変更して得られる第２の前記コンテンツを生成する処理を行い、前記表示制御部では、前記第２のコンテンツを構成する各画像を、前記表示部に表示させることができる。
【００１３】
前記処理実行部では、前記第１のコンテンツを構成する各画像の大きさを、前記瞳孔間隔及び前記視聴距離に基づく大きさに変更して得られる前記第２のコンテンツを生成する処理を行うことができる。
【００１４】
前記コンテンツ取得部では、前記ユーザの左眼に視認させる左眼用２次元画像と、前記ユーザの右眼に視認させる右眼用２次元画像とからなる３次元画像により構成される前記第１のコンテンツを取得し、前記処理実行部では、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行うことができる。
【００１５】
前記処理実行部では、前記瞳孔間隔に基づき決定されるメッセージを、画像又は音声の少なくとも一方により前記ユーザに提示する処理を行うことができる。
【００１６】
前記処理実行部では、前記瞳孔間隔に応じた距離だけ離れて前記コンテンツを視聴するように促す前記メッセージを、画像又は音声の少なくとも一方により前記ユーザに提示する処理を行うことができる。
【００１７】
複数の前記ユーザには、それぞれ、前記ユーザの視界を制限し、前記ユーザ毎に異なるタイミングで前記視界の制限を解除するための装置が装着されており、前記表示制御部では、前記ユーザが視聴する前記第２のコンテンツを構成する各画像を、前記ユーザ毎に異なる前記タイミングに同期して表示させることができる。
【００１８】
前記瞳孔間隔取得部では、前記コンテンツの視聴時に前記ユーザに装着される送信装置から送信されてくる前記瞳孔間隔を受信して取得することができる。
【００１９】
前記瞳孔間隔取得部では、前記ユーザの瞳孔間隔を算出して取得し、前記視聴距離取得部では、前記視聴距離を算出して取得することができる。
【００２０】
本開示の第１の側面の表示制御方法は、画像により構成されるコンテンツを表示させる表示制御装置の表示制御方法であって、前記表示制御装置による、複数の画像により構成されるコンテンツを取得するコンテンツ取得ステップと、前記コンテンツを表示部に表示させる表示制御ステップと、前記コンテンツを視聴するユーザの左右の瞳孔の間隔を表す瞳孔間隔を取得する瞳孔間隔取得ステップと、前記瞳孔間隔に基づいて、所定の処理を行う処理実行ステップとを含む表示制御方法である。
【００２１】
本開示の第１の側面のプログラムは、コンピュータに、画像により構成されるコンテンツを取得するコンテンツ取得ステップと、前記コンテンツを表示部に表示させる表示制御ステップと、前記コンテンツを視聴するユーザの左右の瞳孔の間隔を表す瞳孔間隔を取得する瞳孔間隔取得ステップと、前記瞳孔間隔に基づいて、所定の処理を行う処理実行ステップとを含む処理を実行させるためのプログラムである。
【００２２】
前記ユーザまでの距離を表す視聴距離を取得する視聴距離取得ステップをさらに設けることができ、前記処理実行ステップでは、前記瞳孔間隔及び前記視聴距離に基づき、前記コンテンツ取得部により取得された第１の前記コンテンツを変更して得られる第２の前記コンテンツを生成する処理を行い、前記表示制御ステップでは、前記第２のコンテンツを前記表示部に表示させることができる。
【００２３】
前記処理実行ステップでは、前記第１のコンテンツを構成する各画像の大きさを、前記瞳孔間隔及び前記視聴距離に基づく大きさに変更して得られる前記第２のコンテンツを生成する処理を行うことができる。
【００２４】
前記コンテンツ取得ステップでは、前記ユーザの左眼に視認させる左眼用２次元画像と、前記ユーザの右眼に視認させる右眼用２次元画像とからなる３次元画像により構成される前記第１のコンテンツを取得し、前記処理実行ステップでは、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行うことができる。
【００２５】
前記処理実行ステップでは、前記瞳孔間隔に基づき決定されるメッセージを、画像又は音声の少なくとも一方により前記ユーザに提示する処理を行うことができる。
【００２６】
本開示の第１の側面によれば、画像により構成されるコンテンツが取得され、前記コンテンツが表示部に表示され、前記コンテンツを視聴するユーザの左右の瞳孔の間隔を表す瞳孔間隔が取得され、前記瞳孔間隔に基づいて、所定の処理が行われる。
【００２７】
本開示の第２の側面の検出装置は、コンテンツの視聴時にユーザに装着される検出装置であって、前記ユーザの左右の瞳孔の間隔を表す瞳孔間隔を検出する瞳孔間隔検出部と、前記瞳孔間隔を送信する送信部とを含む検出装置である。
【００２８】
前記ユーザの左眼の瞳孔の位置に移動される第１の板状部材と、前記ユーザの右眼の瞳孔の位置に移動される第２の板状部材と、前記第１の板状部材と前記第２の板状部材との位置合わせに応じて伸縮する可動ブリッジとをさらに設けることができ、前記瞳孔間隔検出部では、前記可動ブリッジの長さに基づいて、前記ユーザの瞳孔間隔を検出することができる。
【００２９】
前記視聴距離を算出する視聴距離算出部をさらに設けることができ、前記送信部では、前記視聴距離も送信することができる。
【００３０】
本開示の第２の側面の検出方法は、コンテンツの視聴時にユーザに装着される検出装置の検出方法であって、前記検出装置による、前記ユーザの左右の瞳孔の間隔を表す瞳孔間隔を検出する瞳孔間隔検出ステップと、前記瞳孔間隔を送信する送信ステップとを含む検出方法である。
【００３１】
本開示の第２の側面によれば、前記ユーザの左右の瞳孔の間隔を表す瞳孔間隔が検出され、前記瞳孔間隔が送信される。
【００３２】
本開示の第３の側面の表示システムは、ユーザにより装着される検出装置と、前記ユーザにより視聴されるコンテンツを表示させる表示制御装置とにより構成される表示システムであって、前記検出装置は、前記ユーザの左右の瞳孔の間隔を表す瞳孔間隔を検出する瞳孔間隔検出部と、前記瞳孔間隔を送信する送信部とを含み、前記表示制御装置は、画像により構成されるコンテンツを取得するコンテンツ取得部と、前記コンテンツを表示部に表示させる表示制御部と、前記送信部から送信されてくる前記瞳孔間隔を受信する瞳孔間隔受信部と、前記瞳孔間隔に基づいて、所定の処理を行う処理実行部とを含む表示システムである。
【００３３】
本開示の第３の側面によれば、前記検出装置により、前記ユーザの左右の瞳孔の間隔を表す瞳孔間隔が検出され、前記瞳孔間隔が送信され、前記表示制御装置により、画像により構成されるコンテンツが取得され、前記コンテンツが表示部に表示され、前記検出装置から送信されてくる前記瞳孔間隔が受信され、前記瞳孔間隔に基づいて、所定の処理が行われる。
【発明の効果】
【００３４】
本開示によれば、ユーザに適した視聴環境でコンテンツを視聴させることが可能となる。
【図面の簡単な説明】
【００３５】
【図１】本開示のテレビジョン受像機の構成例を示すブロック図である。
【図２】テレビジョン受像機のディスプレイの表示例を示す第１の図である。
【図３】テレビジョン受像機のディスプレイの表示例を示す第２の図である。
【図４】推奨距離の算出方法の一例を説明するための図である。
【図５】図１のテレビジョン受像機が行う誘導処理を説明するためのフローチャートである。
【図６】３Ｄメガネの外観例を示す図である。
【図７】３Ｄメガネの構成例を示すブロック図である。
【図８】３Ｄメガネが行う瞳孔間隔送信処理を説明するためのフローチャートである。
【図９】テレビジョン受像機のディスプレイの表示例を示す第３の図である。
【図１０】年齢毎に異なる瞳孔間隔の一例を示す図である。
【図１１】瞳孔間隔に応じて、画像上の物体の立体感が異なることを示す図である。
【図１２】ディスプレイの大きさに応じて立体的な画像として認識できない場合の一例を示す図である。
【図１３】拡大率の算出方法の一例を説明するための図である。
【図１４】図１のテレビジョン受像機が行う第１のサイズ調整処理を説明するためのフローチャートである。
【図１５】本開示のテレビジョン受像機の他の構成例を示すブロック図である。
【図１６】図１５のテレビジョン受像機が行う処理の概要を示す図である。
【図１７】瞳孔間隔及び視聴距離の算出方法を説明するための第１の図である。
【図１８】瞳孔間隔及び視聴距離の算出方法を説明するための第２の図である。
【図１９】図１５のテレビジョン受像機が行う第２のサイズ調整処理を説明するためのフローチャートである。
【図２０】コンピュータの構成例を示すブロック図である。
【発明を実施するための形態】
【００３６】
以下、本開示における実施の形態（以下、実施の形態という）について説明する。なお、説明は以下の順序で行う。
１．第１の実施の形態（３Ｄメガネを装着して３次元画像を見る場合の一例）
２．第２の実施の形態（裸眼で３次元画像を見る場合の一例）
３．変形例
【００３７】
＜１．第１の実施の形態＞
[テレビジョン受像機２１の構成例]
図１は、本開示の技術を適用したテレビジョン受像機２１の構成例を示している。
【００３８】
なお、このテレビジョン受像機２１は、例えば、３Ｄメガネ２２を装着したユーザの左右の瞳孔の間隔を示す瞳孔間隔に応じた視聴環境で、３次元画像としてのコンテンツを視聴できるようにするものである。
【００３９】
具体的には、例えば、テレビジョン受像機２１は、ユーザを誘導するようにして、ユーザの瞳孔間隔に応じて推奨される距離を表す推奨距離でコンテンツをユーザに視聴させる。
【００４０】
また、テレビジョン受像機２１は、例えば、リモートコントローラ２３からの操作信号に応じて動作する。リモートコントローラ２３は、選局に用いる選局ボタン等の他、テレビジョン受像機２１の電源をオン又はオフするための電源ボタン２３aを有する。
【００４１】
テレビジョン受像機２１は、チューナ４１、瞳孔間隔受信部４２、視聴距離計測部４３、メモリ４４aを内蔵する画像処理部４４、ディスプレイ４５、スピーカ４６、制御部４７、及び受光部４８から構成される。
【００４２】
チューナ４１は、接続されたアンテナを介して受信する複数の放送信号から、所定のチャンネル（周波数）に対応する放送信号を選局して復調し、画像処理部４４に供給する。
【００４３】
瞳孔間隔受信部４２は、３Ｄメガネ２２からの瞳孔間隔（を表す情報）を受信し、画像処理部４４に供給する。
【００４４】
視聴距離計測部４３は、コンテンツの視聴時におけるユーザまでの距離を表す視聴距離を計測（算出）し、画像処理部４４に供給する。具体的には、例えば、視聴距離計測部４３は、超音波をユーザに出射してから、ユーザからの反射波を受信するまでの時間、及び超音波の速さに基づいて、視聴距離を計測し、画像処理部４４に供給する。
【００４５】
なお、視聴距離計測部４３が行う視聴距離の計測方法は、超音波を用いる計測方法に限定されず、その他、例えば、異なる２台のカメラの視差に基づき視聴距離を計測するステレオカメラにより、計測するようにしてもよい。
【００４６】
画像処理部４４は、チューナ４１からの放送信号を、画像信号と音声信号に分離し、分離した画像信号をディスプレイ４５に供給して、対応する画像を表示させ、分離した音声信号をスピーカ４６に供給して、対応する音声を出力させる。
【００４７】
また、画像処理部４４は、瞳孔間隔受信部４２からの瞳孔間隔、及びメモリ４４aに予め保持されているディスプレイ４５の画面の大きさを表す画面対角等に基づいて、コンテンツの視聴時に推奨される視聴距離を、推奨距離として算出する。そして、画像処理部４４は、図２や図３に示されるように、推奨距離でコンテンツを視聴可能な位置にユーザを誘導するメッセージを、ディスプレイ４５に表示させる。なお、画像処理部４４が行う推奨距離の算出方法は、図４を参照して後述する。
【００４８】
ディスプレイ４５は、画像処理部４４からの画像信号に対応する画像を表示する。
【００４９】
スピーカ４６は、画像処理部４４からの音声信号に対応する音声を出力する。
【００５０】
制御部４７は、例えば、受光部４８からの操作信号に基づいて、チューナ４１、瞳孔間隔受信部４２、視聴距離計測部４３、及び画像処理部４４を制御する。
【００５１】
受光部４８は、リモートコントローラ２３からの操作信号を受光し、制御部４７に供給する。
【００５２】
[推奨距離の算出方法]
次に、図４は、画像処理部４４が、推奨距離を算出する算出方法の一例を示している。
【００５３】
図４の１行目の欄には、左から順に、ユーザの瞳孔間隔pc（cm）、推奨距離vsc（cm）、ディスプレイ４５の実際の画面上の対角線の長さを表す画面対角rdi(inch)、及びユーザがコンテンツを視聴する際に推奨されるディスプレイ４５の画面を表す推奨画面のサイズが示されている。
【００５４】
推奨画面のサイズとしては、推奨画面の高さを表す画面高さhc=vsc/3(cm)、推奨画面の幅を表す画面幅wc=hc×16/9(cm)、推奨画面上の対角線の長さを表す画面対角dc=√(hc2+wc2)(cm)、画面対角dcをインチに換算して得られる画面対角di=dc/2.54(inch)、及びコンテンツに設けられた視差量が6.5cmである場合における推奨画面の画面対角vdi=di×pc/6.5(inch)が示されている。
【００５５】
画像処理部４４は、瞳孔間隔受信部４２からの瞳孔間隔pc、及び内蔵するメモリ４４aに予め保持されているディスプレイ４５の画面対角rdiに基づいて、推奨距離vscを算出する。なお、瞳孔間隔pc及び画面対角rdiは既知であり、推奨距離vscは未知（変数）である。
【００５６】
すなわち、例えば、画像処理部４４は、変数である推奨距離vscに基づいて、画面高さhc=vsc/3を算出し、算出した画面高さhcに基づいて、画面のアスペクト比から画面幅wc=hc×16/9を算出する。そして、画像処理部４４は、算出した画面高さhc及び画面幅wcに基づいて、三平方の定理により画面対角dc=√(hc2+wc2)を算出し、算出した画面対角dc=√(hc2+wc2)を、インチに換算して得られる画面対角di=dc/2.54を算出する。
【００５７】
画像処理部４４は、算出した画面対角di、瞳孔間隔受信部４２からの瞳孔間隔pc、及びメモリ４４aに予め保持されている視差量6.5cmに基づいて、推奨画面対角vdi=di×pc/6.5を算出する。
【００５８】
ここで、画面対角diを、変数である推奨距離vscにより表すと、画面対角di=√{(vsc/3)2+(vsc×16/27)2}/2.54となる。したがって、推奨画面対角vdi=√{(vsc/3)2+(vsc×16/27)2}/2.54×pc/6.5となる。いま、瞳孔間隔pcは既知であるため、推奨画面対角vdiは、推奨距離vscを変数とする関数f(vsc)により表される。
【００５９】
このため、推奨画面対角vdi=f(vsc)となり、vdi=f(vsc)=rdiを満たすvscが、ディスプレイ４５の画面対角rdiで３次元画像としてのコンテンツを視聴する際の推奨距離となる。
【００６０】
具体的には、例えば、図４に示されるように、pc=6.7及びrdi=55である場合、f(vsc)=rdiは、f(vsc)=√{(vsc/3)2+(vsc×16/27)2}/2.54×6.7/6.5=55となる。したがって、画像処理部４４は、f(vsc)をvscについて解くことにより、推奨距離vsc=200を算出することとなる。
【００６１】
よって、画像処理部４４は、f(vsc)=rdiを推奨距離vscについて解くことにより、推奨距離vscを算出する。そして、画像処理部４４は、算出した推奨距離vscで視聴可能な位置に誘導するメッセージを、図２や図３に示すようにして、ディスプレイ４５に表示させる。
【００６２】
[テレビジョン受像機２１の動作説明]
次に、図５のフローチャートを参照して、テレビジョン受像機２１が行う誘導処理について説明する。
【００６３】
この誘導処理は、例えば、テレビジョン受像機２１の電源がオフである場合に、ユーザがリモートコントローラ２３の電源ボタン２３aを押下したときに開始される。このとき、ディスプレイ４５には、チューナ４１において選局されて復調され、画像処理部４４を介して供給されるコンテンツとしての３次元画像が表示される。
【００６４】
ステップＳ２１では、画像処理部４４は、制御部４７からの制御にしたがって、３Ｄメガネ２２を装着して送信ボタン２２b(図６)を押下する旨のメッセージを、ディスプレイ４５に表示させる。このメッセージは、例えば、ピクチャインピクチャ等により、ディスプレイ４５に表示中の番組に重畳して表示させる。
【００６５】
ユーザは、ディスプレイ４５に表示されるメッセージを参照して、３Ｄメガネ２２を装着する。そして、ユーザは、自身の瞳孔間隔に応じて３Ｄメガネ２２を調整し、３Ｄメガネ２２に設けられた送信ボタン２２bを押下する。これにより、３Ｄメガネ２２は、ユーザの瞳孔間隔pcを算出（検出）して、瞳孔間隔受信部４２に送信する。なお、３Ｄメガネ２２の詳細は、図６乃至図８を参照して詳述する。
【００６６】
ステップＳ２２において、瞳孔間隔受信部４２は、３Ｄメガネ２２から送信されてくる瞳孔間隔pcを受信し、画像処理部４４に供給する。
【００６７】
ステップＳ２３において、画像処理部４４は、瞳孔間隔受信部４２からの瞳孔間隔pc、及び内蔵するメモリ４４aに予め保持されている画面対角rdiに基づいて、推奨距離vscを算出する。そして、ステップＳ２４において、画像処理部４４は、算出した推奨距離vscでコンテンツを視聴可能な位置にユーザを誘導するメッセージとして、例えば、推奨距離vscでコンテンツを視聴して下さい等のメッセージを、ディスプレイ４５に表示させる。なお、画像処理部４４は、ディスプレイ４５に表示するメッセージを、ディスプレイ４５の表示とともに、又はその表示に代えて、音声としてスピーカ４６から出力するようにしてもよい。このことは、他のメッセージ（例えば、図２、図３及び図９等に示されるメッセージ等）についても同様である。
【００６８】
ステップＳ２５では、視聴距離計測部４３は、ユーザの視聴距離scを計測し、画像処理部４４に供給する。
【００６９】
ステップＳ２６では、画像処理部４４は、視聴距離計測部４３からの視聴距離scと、算出済みの推奨距離vscとの差分絶対値｜sc-vsc｜を算出する。そして、画像処理部４４は、算出した差分絶対値｜sc-vsc｜が予め決められた閾値以下であるか否かに基づいて、ユーザが推奨距離vscでコンテンツを視聴可能な位置に存在するか否かを判定する。
【００７０】
ステップＳ２６において、画像処理部４４は、差分絶対値｜sc-vsc｜が予め決められた閾値以下ではないため、推奨距離vscでコンテンツを視聴可能な位置にユーザが存在しないと判定した場合、処理をステップＳ２７に進める。
【００７１】
ステップＳ２７では、画像処理部４４は、視聴距離scから推奨距離vscを差し引いて得られる差分（sc−vsc）に基づいて、推奨距離vscでコンテンツを視聴可能な位置にユーザを誘導するメッセージを、ディスプレイ４５に表示させる。
【００７２】
すなわち、例えば、画像処理部４４は、差分（sc−vsc）が負である場合、つまり、推奨距離vscよりも差分絶対値｜sc-vsc｜だけ、ディスプレイ４５から近い位置にユーザが存在する場合、差分絶対値｜sc-vsc｜の距離だけディスプレイ４５に離れる旨のメッセージを表示させる。具体的には、例えば、差分（sc−vsc）が-50cmである場合、図２に示されるようなメッセージ「少し近いです。あと50cm離れて下さい！」がディスプレイ４５に表示される。
【００７３】
また、例えば、画像処理部４４は、差分（sc−vsc）が正である場合、つまり、推奨距離vscよりも差分絶対値｜sc-vsc｜だけ、ディスプレイ４５から離れた位置にユーザが存在する場合、差分絶対値｜sc-vsc｜の距離だけディスプレイ４５に近づく旨のメッセージを表示させる。具体的には、例えば、差分（sc−vsc）が50cmである場合、図３に示されるようなメッセージ「あと50cm近くに寄って下さい！」がディスプレイ４５に表示される。
【００７４】
そして、処理は、ステップＳ２７からステップＳ２５に戻されて、それ以降、同様の処理が繰り返される。
【００７５】
また、ステップＳ２６では、画像処理部４４は、差分絶対値｜sc-vsc｜が予め決められた閾値以下であるため、（殆ど）推奨距離vscでコンテンツを視聴可能な位置にユーザが存在すると判定した場合、処理をステップＳ２８に進める。
【００７６】
ステップＳ２８では、画像処理部４４は、現在の位置でコンテンツを視聴するように促すメッセージを、ディスプレイ４５に表示させる。以上で、誘導処理は終了される。
【００７７】
以上説明したように、誘導処理では、ユーザを誘導するようにして、推奨距離vscでコンテンツを視聴させるようにした。したがって、例えば、ユーザは、コンテンツの製作者の意図した立体感で、３次元画像としてのコンテンツを視聴することが可能となる。
【００７８】
このため、ユーザは、過度に立体感が強調された３次元画像等をコンテンツとして視聴することがなくなるので、不快感を感じることなく、コンテンツを視聴することが可能となる。
【００７９】
さらに、コンテンツの製作者においては、ユーザの視聴環境を考慮することなく、いずれのコンテンツに対しても、同一の視差の３次元画像を製作すればよいこととなるので、コンテンツを製作する際の手間を省くことが可能となる。
【００８０】
すなわち、例えば、子供（例えば、瞳孔間隔が5cm程度の子供）を対象とするコンテンツと、大人（例えば、瞳孔間隔が6.5cm程度の大人）を対象とするコンテンツとで異なる視差を設ける手間を省くことができる。
【００８１】
また、例えば、コンテンツの製作者において、比較的大きな視差が設けられたコンテンツに対して、３次元画像の立体感を抑制する処理を施すようにして、子供を対象とするコンテンツを製作する必要もなくなる。
【００８２】
[３Ｄメガネ２２について]
次に、図６は、３Ｄメガネ２２の外観の一例を示している。
【００８３】
なお、この３Ｄメガネ２２は、コンテンツとしてディスプレイ４５に表示される３次元画像を立体的な画像として認識できるように、ユーザにより装着される。ここで、３次元画像とは、左眼用２次元画像、及び右眼用２次元画像により構成されており、左眼用２次元画像と右眼用２次元画像との間には、ユーザにより視認される画像上の物体が立体的に見えるように視差が設けられている。
【００８４】
３Ｄメガネ２２は、左眼用２次元画像をユーザの左眼のみで視認できるように提示し、右眼用２次元画像をユーザの右眼のみで視認できるように提示するようにして、３次元画像を立体的な画像としてユーザに認識させる。
【００８５】
また、３Ｄメガネ２２は、主に、右眼用シャッタ２２R1、左眼用シャッタ２２L1、右眼用パネル２２R2、左眼用パネル２２L2、可動ブリッジ２２a、送信ボタン２２b、及び瞳孔間隔送信部２２cから構成される。
【００８６】
右眼用シャッタ２２R1は、ユーザにより３Ｄメガネ２２が装着されたときに、ユーザの右眼の前面に配置される。同様にして、右眼用シャッタ２２R1は、ユーザにより３Ｄメガネ２２が装着されたときに、ユーザの右眼の前面に配置される。
【００８７】
右眼用シャッタ２２R1及び左眼用シャッタ２２L1は、ディスプレイ４５に交互に表示される右眼用２次元画像及び左眼用２次元画像を、立体的な画像としてユーザに認識させるために、右眼と左眼の視界を交互にシャッタ等により遮蔽する。なお、右眼用シャッタ２２R1及び左眼用シャッタ２２L1は、例えば、テレビジョン受像機２１からの制御信号に応じて、交互に駆動される。
【００８８】
すなわち、ディスプレイ４５に右眼用２次元画像が表示されるとき、右眼用シャッタ２２R1による視界の遮蔽が解除され、左眼用シャッタ２２L1による視界の遮蔽が行われる。また、ディスプレイ４５に左眼用２次元画像が表示されるとき、右眼用シャッタ２２R1による視界の遮蔽が行われ、左眼用シャッタ２２L1による視界の遮蔽が解除される。
【００８９】
なお、右眼用シャッタ２２R1及び左眼用シャッタ２２L1において、遮蔽を解除するタイミングを、各ユーザ毎に異なるようにすれば、各ユーザが、１個のディスプレイ４５を用いて、それぞれ異なるコンテンツを視聴できるようになる。
【００９０】
すなわち、例えば、第１のユーザがコンテンツＡを視聴し、第２のユーザがコンテンツＢを視聴する場合、ディスプレイ４５は、表示タイミングt1,t2,t3,t4,…に同期して、例えば、表示タイミングt1でコンテンツＡの左眼用２次元画像、表示タイミングt2でコンテンツＢの左眼用２次元画像、表示タイミングt3でコンテンツＡの右眼用２次元画像、表示タイミングt4でコンテンツＢの右眼用２次元画像、…の順序で表示する。
【００９１】
第１のユーザに装着された３Dメガネ２２は、表示タイミングt1,t3,…に同期して、例えば、表示タイミングt1で左眼用シャッタ２２L1による視界の遮蔽のみを解除し、表示タイミングt3で右眼用シャッタ２２R1による視界の遮蔽のみを解除する。また、第１のユーザに装着された３Dメガネ２２は、その他の表示タイミングt2,t4,…に同期して、左眼用シャッタ２２L1及び右眼用シャッタ２２R1による視界の遮蔽を維持させる。
【００９２】
さらに、第２のユーザに装着された３Dメガネ２２は、表示タイミングt2,t4,…に同期して、例えば、表示タイミングt2で左眼用シャッタ２２L1による視界の遮蔽のみを解除し、表示タイミングt4で右眼用シャッタ２２R1による視界の遮蔽のみを解除する。また、第２のユーザに装着された３Dメガネ２２は、その他の表示タイミングt1,t3,…に同期して、左眼用シャッタ２２L1及び右眼用シャッタ２２R1による視界の遮蔽を維持させる。
【００９３】
このようにして、第１及び第２のユーザに一定のフレームレートでコンテンツを視聴させる場合、ディスプレイ４５に表示される各画像（コンテンツＡ及びコンテンツＢそれぞれの左眼用２次元画像及び右眼用２次元画像）のフレームレートは、ユーザの人数に応じて高いものとなる。
【００９４】
右眼用パネル２２R2及び左眼用パネル２２L2は、それぞれ、ユーザにより、右眼用シャッタ２２R1と左眼用シャッタ２２L1との間隔が調整される際に、右眼用シャッタ２２R1の前面及び右眼用シャッタ２２R1の前面に移動される。
【００９５】
右眼用パネル２２R2及び左眼用パネル２２L2には、それぞれ、中央に小さな覗き穴（図中、黒色の点で示す）が設けられている。
【００９６】
したがって、ユーザは、右眼用パネル２２R2及び左眼用パネル２２L2にそれぞれ設けられた覗き穴を通して、ディスプレイ４５を正視できる位置に、右眼用シャッタ２２R1と左眼用シャッタ２２L1との間隔を調整する。この調整は、例えば、手動又は電動で行われる。また、調整時には、右眼用シャッタ２２R1及び左眼用シャッタ２２L1のいずれの遮蔽も解除されているものとする。
【００９７】
なお、右眼用シャッタ２２R1と左眼用シャッタ２２L1との間隔を調整する際に、右眼用シャッタ２２R1及び左眼用シャッタ２２L1において、中央部分を除いて視界を遮蔽するようにして、中央に小さな覗き穴を設けるように構成すれば、３Ｄメガネ２２において、右眼用パネル２２R2及び左眼用パネル２２L2を設ける必要はない。
【００９８】
可動ブリッジ２２aは、右眼用シャッタ２２R1と左眼用シャッタ２２L1とを繋ぐブリッジであり、右眼用シャッタ２２R1と左眼用シャッタ２２L1との間隔に応じて、図中左右方向に伸縮自在とされる。可動ブリッジ２２aは、伸縮されたことに応じて、可動ブリッジ２２aの長さを表すブリッジ長を検出し、瞳孔間隔送信部２２cに供給する。
【００９９】
送信ボタン２２bは、例えば、右眼用シャッタ２２R1と左眼用シャッタ２２L1との間隔が調整された後に押下され、その押下に対応する操作信号を、瞳孔間隔送信部２２cに供給する。
【０１００】
瞳孔間隔送信部２２cは、可動ブリッジ２２aからのブリッジ長に基づいて、瞳孔間隔を計測する。そして、瞳孔間隔送信部２２cは、送信ボタン２２bからの操作信号を受信したことに応じて、計測済みの瞳孔間隔をテレビジョン受像機２１に送信する。
【０１０１】
なお、瞳孔間隔送信部２２cは、可動ブリッジ２２aからのブリッジ長に基づいて、瞳孔間隔を計測するようにしたが、３Ｄメガネ２２において、瞳孔間隔を計測する計測方法は、これに限定されない。
【０１０２】
すなわち、例えば、計測方法としては、３Ｄメガネ２２において、ユーザの左右の瞳孔を追尾（トラッキング）するアイトラッキング技術等を用いるようにして、瞳孔間隔を計測することができる。
【０１０３】
[３Ｄメガネ２２の構成例]
次に、図７は、３Ｄメガネ２２の構成例を示している。
【０１０４】
この３Ｄメガネ２２は、主に、可動ブリッジ２２a、送信ボタン２２b、及び瞳孔間隔送信部２２cから構成される。なお、図面が煩雑になるのを避けるために、右眼用シャッタ２２R1、左眼用シャッタ２２L1、右眼用パネル２２R2、及び左眼用パネル２２L2の図示は省略している。
【０１０５】
また、可動ブリッジ２２a及び送信ボタン２２bは、図６を参照して説明したので、それらの説明は適宜省略する。
【０１０６】
瞳孔間隔送信部２２cは、計測部６１、記憶部６２、及び送信部６３から構成される。
【０１０７】
計測部６１は、メモリ６１aを内蔵している。このメモリ６１aは、異なるブリッジ長毎に、対応する瞳孔間隔を対応付けたテーブルを予め保持している。計測部６１は、可動ブリッジ２２aからのブリッジ長に基づいて、内蔵するメモリ６１aに保持されたテーブルを参照することにより、対応する瞳孔間隔を計測(検出)し、記憶部６２に供給して、上書きにより記憶させる。
【０１０８】
また、計測部６１は、メモリ６１aにオフセット値を予め保持させるようにしておき、可動ブリッジ２２aからのブリッジ長に、メモリ６１aに保持されているオフセット値を加算し、その加算結果を、瞳孔間隔として計測するようにしてもよい。なお、オフセット値は、瞳孔間隔（右眼用パネル２２R2に設けられた覗き穴と、左眼用パネル２２L2に設けられた覗き穴との間隔）からブリッジ長を差し引いて得られる正の値を表す。
【０１０９】
記憶部６２は、計測部６１からの瞳孔間隔を記憶する。
【０１１０】
送信部６３は、送信ボタン２２bからの操作信号を受信したことに応じて、記憶部６２に記憶されている瞳孔間隔を読み出す。そして、送信部６３は、読み出した瞳孔間隔を、IrDA（infrared data association），Bluetooth(商標)、又はワイヤレスUSB(universal serial bus)等の無線通信方式を用いて、テレビジョン受像機２１に送信する。
【０１１１】
なお、３Ｄメガネ２２では、テレビジョン受像機２１の視聴距離計測部４３と同様の測距センサを設けるようにして、視聴距離を計測するようにしてもよい。この場合、送信部６３は、計測される視聴距離も、テレビジョン受像機２１に送信することとなり、テレビジョン受像機２１では、視聴距離計測部４３を設ける必要がなくなる。
【０１１２】
また、例えば、３Ｄメガネ２２に代えて、リモートコントローラ２３に測距センサを設けるようにすれば、３Ｄメガネ２２の構成を簡素化できるので、３Ｄメガネ２２に測距センサが設けられている場合と比較して、ユーザが煩わしさを感じることが無い。
【０１１３】
[３Ｄメガネ２２の動作説明]
次に、図８のフローチャートを参照して、３Ｄメガネ２２が行う瞳孔間隔送信処理について説明する。
【０１１４】
ステップＳ４１において、可動ブリッジ２２aは、右眼用シャッタ２２R1と右眼用シャッタ２２R1との間隔が調整されることにより、可動ブリッジ２２aのブリッジ長が変更されたか否かを判定する。
【０１１５】
可動ブリッジ２２aは、可動ブリッジ２２aのブリッジ長が変更されたと判定した場合、そのブリッジ長を検出し、計測部６１に供給して、処理をステップＳ４２に進める。
【０１１６】
ステップＳ４２において、計測部６１は、内蔵するメモリ６１aに保持されたテーブルを参照して、可動ブリッジ２２aからのブリッジ長に対応する瞳孔間隔を計測（取得）し、記憶部６２に供給して、上書きにより記憶させ、処理をステップＳ４３に進める。
【０１１７】
なお、ステップＳ４１において、可動ブリッジ２２aは、可動ブリッジ２２aのブリッジ長が変更されていないと判定した場合、ステップＳ４２をスキップして処理をステップＳ４３に進める。
【０１１８】
ステップＳ４３において、送信部６３は、送信ボタン２２bからの操作信号が供給されたか否かに基づいて、送信ボタン２２bがユーザにより押下されたか否かを判定する。そして、送信部６３は、送信ボタン２２bからの操作信号が供給されたか否かに基づいて、送信ボタン２２bがユーザにより押下されていないと判定した場合、処理をステップＳ４１に戻し、それ以降同様の処理が繰り返される。
【０１１９】
また、ステップＳ４３において、送信部６３は、送信ボタン２２bからの操作信号が供給されたか否かに基づいて、送信ボタン２２bがユーザにより押下されたと判定した場合、記憶部６２に記憶されている瞳孔間隔を、記憶部６２から読み出す。そして、送信部６３は、読み出した瞳孔間隔を、IrDA，Bluetooth(商標)、又はワイヤレスUSB等の無線通信方式を用いて、テレビジョン受像機２１に送信する。以上で、瞳孔間隔送信処理は終了される。
【０１２０】
以上説明したように、瞳孔間隔送信処理では、ユーザの瞳孔間隔をテレビジョン受像機２１に送信するようにした。このため、テレビジョン受像機２１では、ユーザの瞳孔間隔に応じた推奨距離でコンテンツを視聴可能な位置に、ユーザを誘導することが可能となる。
【０１２１】
第１の実施の形態では、画像処理部４４は、瞳孔間隔pc及び画角対角rdiに基づいて、推奨距離vscを算出し、算出した推奨距離vscでコンテンツを視聴可能な位置に、ユーザを誘導するようにしたが、画像処理部４４が行う処理は、これに限定されない。
【０１２２】
すなわち、例えば、画像処理部４４は、瞳孔間隔受信部４２からの瞳孔間隔pcに基づいて、ユーザの年齢を判定する。そして、画像処理部４４は、判定したユーザの年齢が、所定の年齢（例えば、１２歳）未満である場合、コンテンツを表示する前に、図９に示すようなメッセージ「テレビからはなれてみましょう」を、ディスプレイ４５に表示してもよい。なお、瞳孔間隔pcと年齢との間には、図１０に示されるような関係があることが、一般的にわかっている。
【０１２３】
また、例えば、画像処理部４４は、視聴距離計測部４３からの視聴距離が、所定の閾値未満であるか否かを判定し、視聴距離が、所定の閾値未満ではないと判定されるまで、図１０に示すようなメッセージをディスプレイ４５に表示させるようにしてもよい。この場合、テレビジョン受像機２１から離れるまで、コンテンツが表示されないこととなるので、より確実に、テレビジョン受像機２１の近くでコンテンツが視聴される事態を防止することができる。
【０１２４】
さらに、例えば、画像処理部４４は、ユーザの年齢が所定の年齢未満であると判定した場合には、所定の年齢未満のユーザにとって有害なコンテンツ（例えば、暴力的な表現のあるコンテンツ等）をディスプレイ４５に表示させないようにしてもよい。
【０１２５】
なお、ユーザが所定の年齢未満である場合、ディスプレイ４５に、図９に示すようなメッセージを表示するようにしたのは、年齢が低い程に、３次元画像による立体感を強く感じてしまうことによる。
【０１２６】
次に、図１１は、年齢が低い程に、３次元画像による立体感を強く感じることを示している。
【０１２７】
図１１Aには、ユーザが大人である場合に、ディスプレイ４５上に表示される対象８１が、ディスプレイ４５の奥行き方向（図中左方向）に存在するように見える場合の一例を示している。
【０１２８】
図１１Bには、ユーザが子供である場合に、ディスプレイ４５上に表示される対象８１が、ディスプレイ４５の奥行き方向（図中左方向）に存在するように見える場合の一例を示している。
【０１２９】
図１１A及び図１１Bに示されるように、右眼用２次元画像と左眼用２次元画像との間に同一の視差が設けられた３次元画像であっても、ユーザの瞳孔間隔によって、対象８１の見え方が異なることがわかる。特に、例えば、ユーザが子供である場合（瞳孔間隔が狭い場合）、ユーザが大人である場合（瞳孔間隔が広い場合）と比較して、ユーザが感じる対象８１の奥行き感が強くなることがわかる。
【０１３０】
したがって、テレビジョン受像機２１では、子供が奥行き感等を強く感じてしまうことにより、健康に悪影響を及ぼす事態を防止するために、図９に示したようなメッセージをディスプレイ４５に表示することができる。
【０１３１】
ところで、テレビジョン受像機２１では、例えば、図５のフローチャートを参照して説明したように、ユーザを誘導するようにして、推奨距離でコンテンツをユーザに視聴させるようにした。
【０１３２】
しかしながら、比較的狭い室内に、テレビジョン受像機２１が設けられている場合、ユーザは、推奨距離でコンテンツを視聴できないことが生じ得る。
【０１３３】
すなわち、例えば、ディスプレイ４５が小さい場合、推奨距離は短いものとなる。この場合、ユーザは、狭い室内でも推奨距離でコンテンツを視聴できるため、図１２Aに示されるように、対象物８１を立体的に認識できる。なお、図１２A及び図１２Bにおいて、対象表示８１Lは、左眼用２次元画像上に表示される対象８１を表し、対象表示８１Rは、右眼用２次元画像上に表示される対象８１を表す。
【０１３４】
これに対して、ディスプレイ４５が大きい場合、推奨距離は長いものとなる。したがって、ユーザは、狭い室内において、十分に視聴距離を確保できず、推奨距離未満でコンテンツを視聴することとなる。この場合、ユーザは、図１２Bに示されるように、ユーザの左右の目の視線が外側に向かってしまい、ディスプレイ４５上の３次元画像を立体的に認識できないこととなってしまう。
【０１３５】
したがって、テレビジョン受像機２１は、ディスプレイ４５の画面対角rdiを、ユーザの瞳孔間隔pc及び視聴距離scに応じて推奨される推奨画面の推奨画面対角vdiに調整することが望ましい。
【０１３６】
ここで、実際には、ディスプレイ４５の画面対角rdiは固定されており調整できない。このため、テレビジョン受像機２１は、ディスプレイ４５に表示させる３次元画像の大きさを、ユーザの視聴距離sc及び瞳孔間隔pcに応じて推奨される最適画面の大きさに調整することになる。
【０１３７】
次に、図１３は、画像処理部４４が、ディスプレイ４５に表示させる３次元画像の大きさを、ユーザの視聴距離sc及び瞳孔間隔pcに応じて推奨される最適画面の大きさに調整して、ディスプレイ４５に表示させる第１のサイズ調整処理について説明する。
【０１３８】
なお、図１３は、図２の推奨距離vscに代えて、視聴距離scが設けられているとともに、新たに拡大率rdi/vdiが設けられている他は、図２と同様に構成される。
【０１３９】
すなわち、図１３の１行目の欄には、左から順に、ユーザの瞳孔間隔pc（cm）、視聴距離sc（cm）、ディスプレイ４５の画面対角rdi(inch)、推奨画面のサイズ、及び拡大率rdi/vdiが示されている。
【０１４０】
推奨画面サイズとして、画面高さhc=sc/3(cm)、画面幅wc=hc×16/9(cm)、画面対角dc=√(hc2+wc2)(cm)、画面対角di=dc/2.54(inch)、及び推奨画面対角vdi=di×pc/6.5(inch)が示されている。
【０１４１】
画像処理部４４は、瞳孔間隔受信部４２からの瞳孔間隔pc、視聴距離計測部４３からの視聴距離sc、及び内蔵するメモリ４４aに予め保持されているディスプレイ４５の画面対角rdiに基づいて、拡大率rdi/vdiを算出する。
【０１４２】
すなわち、例えば、画像処理部４４は、視聴距離計測部４３からの視聴距離scに基づいて、画面高さhc=sc/3を算出し、算出した画面高さhcに基づいて、画面幅wc=hc×16/9を算出する。そして、画像処理部４４は、算出した画面高さhc及び画面幅wcに基づいて、画面対角dc=√(hc2+wc2)を算出し、算出した画面対角dc=√(hc2+wc2)に基づいて、画面対角dcの単位をインチに変換して得られる画面対角di=dc/2.54を算出する。
【０１４３】
また、画像処理部４４は、算出した画面対角di、瞳孔間隔受信部４２からの瞳孔間隔pc、及びメモリ４４aに予め保持されている視差6.5に基づいて、推奨画面対角vdi=di×pc/6.5を算出する。ここで、視差6.5は、３次元画像の制作時に、左眼用２次元画像と右眼用２次元画像との間に設けられた視差を表す。
【０１４４】
そして、画像処理部４４は、内蔵するメモリ４４aに予め保持されているディスプレイ４５の画面対角rdi、及び推奨画面対角vdiに基づいて、拡大率として、rdi/vdiを算出する。
【０１４５】
画像処理部４４は、チューナ４１からの放送信号を分離して得られる画像信号及び音声信号のうちの画像信号に対応する３次元画像を、拡大率rdi/vdiで拡大し、ディスプレイ４５に供給して表示させる。すなわち、例えば、画像処理部４４は、３次元画像を構成する左眼用２次元画像及び右眼用２次元画像を、それぞれ、拡大率rdi/vdiで拡大し、ディスプレイ４５に交互に表示させる。
【０１４６】
なお、画像処理部４４は、分割して得られる音声信号を、スピーカ４６に供給して、音声信号に対応する音声を、視聴距離計測部４３からの視聴距離scに応じた音量で出力させる。
【０１４７】
具体的には、例えば、図１３に示されるように、pc=6.7,sc=200,rdi=55である場合、hc=66.7,wc=118.5,dc=136,di=53.5,vdi=55.2となり、rdi/vdi≒1となる。この場合、画像処理部４４は、画像信号に対応する３次元画像を、そのまま、ディスプレイ４５に供給して表示させることとなる。
【０１４８】
また、例えば、pc=5,sc=200,rdi=55である場合、hc=66.7,wc=118.5,dc=136,di=53.5,vdi=41.2となり、rdi/vdi≒0.75となる。この場合、画像処理部４４は、画像信号に対応する３次元画像を、拡大率rdi/vdi≒0.75で拡大し、ディスプレイ４５に供給して表示させることとなる。
【０１４９】
さらに、例えば、pc=5,sc=100,rdi=55である場合、hc=33.3,wc=59.3,dc=68,di=26.8,vdi=20.6となり、rdi/vdi≒0.37となる。この場合、画像処理部４４は、画像信号に対応する３次元画像を、拡大率rdi/vdi≒0.37で拡大し、ディスプレイ４５に供給して表示させることとなる。
【０１５０】
[テレビジョン受像機２１の他の動作説明]
次に、図１４のフローチャートを参照して、テレビジョン受像機２１が行う第１のサイズ調整処理について説明する。
【０１５１】
この第１のサイズ調整処理は、例えば、テレビジョン受像機２１の電源がオフである場合に、ユーザがリモートコントローラ２３の電源ボタン２３aが押下されたときに開始される。このとき、ディスプレイ４５には、チューナ４１において選局されて復調され、画像処理部４４を介して供給されるコンテンツとしての３次元画像が表示される。
【０１５２】
ステップＳ６１及びステップＳ６２において、それぞれ、図５のステップＳ２１及びステップＳ２２と同様の処理が行われる。
【０１５３】
ステップＳ６３において、視聴距離計測部４３は、ユーザの視聴距離scを計測し、画像処理部４４に供給する。
【０１５４】
ステップＳ６４において、画像処理部４４は、瞳孔間隔受信部４２からの瞳孔間隔pc、及び視聴距離計測部４３からの視聴距離scに基づいて、推奨画面対角vdiを算出する。
【０１５５】
ステップＳ６５において、画像処理部４４は、算出した推奨画面対角vdi、及びメモリ４４aに予め保持された画面対角rdiに基づいて、拡大率rdi/vdiを算出する。
【０１５６】
ステップＳ６６において、画像処理部４４は、チューナ４１からの放送信号を、画像信号と音声信号とに分離する。そして、画像処理部４４は、分離して得られた画像信号に対応する左眼用２次元画像及び右眼用２次元画像を、それぞれ、ステップＳ６５で算出した拡大率rdi/vdiで拡大する。画像処理部４４は、拡大後の左眼用２次元画像及び右眼用２次元画像を、拡大後の３次元画像として、ディスプレイ４５に供給して表示させる。
【０１５７】
また、画像処理部４４は、分離して得られた音声信号に対応する音声を、視聴距離計測部４３からの視聴距離scに応じた音量で、スピーカ４６から出力する。以上で、第１のサイズ調整処理は終了される。
【０１５８】
以上説明したように、第１のサイズ調整処理では、ディスプレイ４５に表示させる３次元画像の大きさを、ユーザの瞳孔間隔及び視聴距離に応じた推奨画面の大きさに変更するようにした。したがって、第１のサイズ調整処理では、例えば、視聴距離を十分に長くとれない場合でも、３次元画像の大きさを変更するという簡易な処理のみにより、コンテンツの製作者の意図した立体感でコンテンツをユーザに視聴させることが可能となる。
【０１５９】
また、第１のサイズ調整処理では、ユーザの視聴距離に応じて、ディスプレイ４５に表示させる３次元画像の大きさが、推奨画面の大きさに変更されるので、ユーザは、自分の好きな位置でコンテンツを視聴することが可能となる。
【０１６０】
なお、３Ｄメガネ２２の右眼用シャッタ２２R1及び左眼用シャッタ２２L1において、遮蔽を解除するタイミングを、各ユーザ毎に異なるようにすれば、各ユーザ毎に推奨される推奨画面の大きさで、コンテンツとしての３次元画像を視聴できるようになる。このため、テレビジョン受像機２１において、複数のユーザが、それぞれに適した視聴環境で、コンテンツを同時に視聴することが可能となる。
【０１６１】
その他、例えば、画像処理部４４は、３次元画像の大きさを変更することに代えて、３次元画像の視差（左眼用２次元画像と右眼用２次元画像に設けられている視差）を変更するようにしてもよい。
【０１６２】
すなわち、例えば、画像処理部４４は、図１３に示される推奨画面対角vdi=di×pc/6.5における視差6.5を変数ｘとし、拡大率rdi/vdi=1となるときの変数xを算出する。いまの場合、瞳孔間隔pc、視聴距離sc、及び画面対角rdiは既知であり、視差xは変数であるため、rdi/vdi=1は、視差xについての関数g(x)=1として表すことができる。
【０１６３】
したがって、画像処理部４４は、関数g(x)=1を、変数である視差xについて解くことにより、ユーザの視聴するコンテンツとしての３次元画像に推奨される視差xを算出することとなる。
【０１６４】
画像処理部４４は、算出した視差ｘに基づいて、画像信号に対応する３次元画像の視差を視差xに変更し、変更後の３次元画像を、ディスプレイ４５に供給して表示させる。したがって、例えば、視聴距離を十分に長くとれない場合でも、コンテンツの製作者の意図した立体感でコンテンツを視聴できるとともに、コンテンツの製作者の意図した大きさで、３次元画像としてのコンテンツを視聴することが可能となる。
【０１６５】
＜２．第２の実施の形態＞
[テレビジョン受像機１０１の構成例]
次に、図１５は、ユーザが３Ｄメガネ２２を装着することなく、３次元画像を立体的な画像として視聴可能なテレビジョン受像機１０１の構成例を示している。
【０１６６】
なお、このテレビジョン受像機１０１は、視差バリア方式又はレンチキュラー方式等を採用するようにして、ユーザが、３Ｄメガネ２２を装着することなく、３次元画像を立体的な画像として視認できるようにしている。
【０１６７】
また、このテレビジョン受像機１０１は、３Ｄメガネ２２に代えて、ユーザの瞳孔間隔を計測する点が、テレビジョン受像機２１と大きくことなり、それ以外の処理については、テレビジョン受像機２１と同様の処理を行う。
【０１６８】
したがって、図１５では、図１に示されるテレビジョン受像機２１と同様に構成される部分には同一の符号を付しているため、それらの説明は、以下、適宜省略する。
【０１６９】
すなわち、このテレビジョン受像機１０１は、カメラ１２１R、カメラ１２１L、及び発光部１２２が新たに設けられているとともに、図１の瞳孔間隔受信部４２及び視聴距離計測部４３に代えて、検出部１２３及び算出部１２４が新たに設けられている他は、図１のテレビジョン受像機２１と同様に構成される。
【０１７０】
また、リモートコントローラ１０２は、例えば、テレビジョン受像機１０１の電源をオンする際に操作される電源ボタン１０１a、選局の際に操作される選局ボタン等の他、ディスプレイ４５に表示される３次元画像の大きさを、ディスプレイ４５における推奨画面の大きさに最適化する際に操作される最適化ボタン１０２bが設けられている。
【０１７１】
カメラ１２１R及びカメラ１２１Lは、それぞれ、ディスプレイ４５の上部に、一定の間隔をあけて配置されており、ユーザの左右の瞳孔をそれぞれ表す瞳孔位置を検出するステレオカメラとして機能する。なお、瞳孔位置は、３次元位置として検出される。
【０１７２】
発光部１２２は、ユーザの瞳孔位置を検出する際に、制御部４７からの制御にしたがって、フラッシュとしての光を発光する。
【０１７３】
検出部１２３は、カメラ１２１R及びカメラ１２１Lからの撮像結果に基づいて、ユーザの左右の瞳孔の瞳孔位置を検出し、算出部１２４に供給する。なお、瞳孔位置の検出方法は、図１７及び図１８を参照して詳述する。
【０１７４】
算出部１２４は、瞳孔位置検出部１２１からの瞳孔位置に基づいて、ユーザの瞳孔間隔pc、及びユーザまでの視聴距離scを算出し、画像処理部４４に供給する。
【０１７５】
[テレビジョン受像機１０１が行う処理の概要]
次に、図１６は、テレビジョン受像機１０１が行う処理の概要を示している。
【０１７６】
なお、以下では、テレビジョン受像機１０１が、３次元画像の大きさを変更する第２のサイズ調整処理を行う場合について説明する。しかしながら、テレビジョン受像機１０１は、その他、例えば、テレビジョン受像機２１と同様に誘導処理等も行うことができる。
【０１７７】
この第２のサイズ調整処理は、例えば、ユーザが、図１６Aに示されるように、テレビジョン受像機１０１のディスプレイ４５に表示されたコンテンツを視聴中に、図１６Bに示されるようにして、リモートコントローラ１０２の最適化ボタン１０２bを押下したときに開始される。
【０１７８】
ディスプレイ４５は、ユーザによる最適化ボタン１０２bの押下操作に応じて、図１６Cに示されるように、「ご覧になっている位置で計測します。顔を画面に対して正面に向けて下さい」というメッセージを表示する。
【０１７９】
その後、ディスプレイ４５は、図１６Dに示されるように、「計測します！」というメッセージを表示し、発光部１２２は、ディスプレイ４５の前に存在するユーザに対して、フラッシュとしての光を発光する。また、カメラ１２１R及びカメラ１２１Lは、それぞれ、発光部１２２の発光中に、ユーザの撮像を行う。
【０１８０】
そして、ディスプレイ４５は、図１６Eに示されるように、「最適化します！」というメッセージを表示する。このとき、テレビジョン受像機１０１では、カメラ１２１R及びカメラ１２１Lの撮像結果に基づいて、ディスプレイ４５における推奨画面のサイズを算出する。
【０１８１】
テレビジョン受像機１０１は、推奨画面のサイズを算出後、図１６Fに示されるように、ディスプレイ４５に、算出した推奨画面の大きさで３次元画像を表示させる。
【０１８２】
[瞳孔位置の検出方法の一例]
次に、図１７及び図１８を参照して、検出部１２３が、カメラ１２１R及びカメラ１２１Lによる撮像結果に基づいて、ユーザ１４１の左右の瞳孔の瞳孔位置を検出する場合の一例を説明する。
【０１８３】
カメラ１２１Lは、図１７に示されるように、画角９０度の撮像範囲１６１Lでユーザ１４１を撮像する。カメラ１２１Lは、発光部１２２の発光中に撮像を行い、その撮像により得られる赤目画像１８１Lを、検出部１２３に供給する。
【０１８４】
また、カメラ１２１Rは、図１７に示されるように、画角９０度の撮像範囲１６１Rでユーザ１４１を撮像する。カメラ１２１Rは、発光部１２２の発光中に撮像を行い、その撮像により得られる赤目画像１８１Rを、検出部１２３に供給する。
【０１８５】
なお、赤目画像１８１Lと赤目画像１８１Rには、それぞれ、ユーザ１４１の瞳孔１４１R及び１４１Lが、赤く光った状態で表示される。
【０１８６】
検出部１２３は、カメラ１２１Lからの赤目画像１８１L上の全領域のうち、ユーザ１４１の顔部分を表す顔領域１８１Laから、赤く光った状態で映った瞳孔１４１Rを表す瞳孔領域１４１R1を検出する。
【０１８７】
なお、検出部１２３は、発光部１２２の発光前に、カメラ１２１Lの撮像により得られた撮像画像から、顔領域１８１Laを予め検出しているものとする。検出部１２３は、例えば、肌色の領域を、顔領域１８１Laとして検出する。
【０１８８】
ここで、カメラ１２１Lは、角度αL（度）と、赤目画像１８１L上の端部分１８１Lbから瞳孔領域１４１R1（の重心）までの距離αL（mm）とが一致する等距離射影方式のレンズを使用しているものとする。
【０１８９】
したがって、検出部１２３は、端部分１８１Lbから瞳孔１４１R1までの距離αL（mm）を、角度αL（度）として算出する。そして、検出部１２３は、算出した角度αL（度）に４５（度）を加算し、角度XL(=αL+45)を算出する。
【０１９０】
また、検出部１２３は、カメラ１２１Rからの赤目画像１８１R上の全領域のうち、ユーザ１４１の顔部分を表す顔領域１８１Raから、赤く光った状態で映った瞳孔１４１Rを表す瞳孔領域１４１R2を検出する。
【０１９１】
なお、検出部１２３は、発光部１２２の発光前に、カメラ１２１Rの撮像により得られた撮像画像から、顔領域１８１Raを予め検出しているものとする。検出部１２３は、例えば、肌色の領域を、顔領域１８１Raとして検出する。
【０１９２】
ここで、カメラ１２１Rは、角度αR（度）と、赤目画像１８１R上の端部分１８１Rbから瞳孔領域１４１R2（の重心）までの距離αR（mm）とが一致する等距離射影方式のレンズを使用しているものとする。
【０１９３】
したがって、検出部１２３は、端部分１８１Rbから瞳孔１４１R2までの距離αR（mm）を、角度αR（度）として算出する。そして、検出部１２３は、算出した角度αR（度）に４５（度）を加算し、角度XR(=αR+45)を算出する。
【０１９４】
このようにして、検出部１２３は、図１８に示される角度XR及びXLを算出し、カメラ１２１Rとカメラ１２１Lとの距離を基線として、三角測量を用いて、瞳孔１４１Rの瞳孔位置を検出する。
【０１９５】
また、検出部１２３は、同様にして、図１７に示される角度YR及びYLを算出し、カメラ１２１Rとカメラ１２１Lとの距離を基線として、三角測量を用いて、瞳孔１４１Lの瞳孔位置を検出する。
【０１９６】
検出部１２３は、瞳孔１４１R及び瞳孔１４Lについてそれぞれ検出した瞳孔位置を、算出部１２４に供給する。
【０１９７】
[テレビジョン受像機１０１の動作説明]
次に、図１９のフローチャートを参照して、テレビジョン受像機１０１が行う第２のサイズ調整処理について説明する。
【０１９８】
この第２のサイズ調整処理は、例えば、テレビジョン受像機１０１のディスプレイ４５にコンテンツを表示中に、ユーザが、リモートコントローラ１０２の最適化ボタン１０２bを押下したときに開始される。
【０１９９】
ステップＳ８１において、カメラ１２１Lは、ユーザの撮像を行い、その結果得られる第１の撮像画像を、検出部１２３に供給する。また、カメラ１２１Rは、ユーザの撮像を行い、その結果得られる第２の撮像画像を、検出部１２３に供給する。
【０２００】
ステップＳ８２において、検出部１２３は、カメラ１２１Lからの第１の撮像画像に基づいて、第１の撮像画像上の顔領域１８１Laを検出する。また、検出部１２３は、カメラ１２１Rからの第２の撮像画像に基づいて、第２の撮像画像上の顔領域１８１Raを検出する。
【０２０１】
ステップＳ８３では、画像処理部４４は、ディスプレイ４５を制御して、フラッシュとしての光を発光させる旨のメッセージを表示させ、ステップＳ８４では、発光部１２２は、フラッシュとしての光を発光する。
【０２０２】
ステップＳ８５において、カメラ１２１Lは、発光部１２２の発光中にユーザの撮像を行い、その結果得られる赤目画像１８１Lを、検出部１２３に供給する。また、カメラ１２１Rは、発光部１２２の発光中にユーザの撮像を行い、その結果得られる赤目画像１８１Rを、検出部１２３に供給する。
【０２０３】
ステップＳ８６では、検出部１２３は、カメラ１２１Lからの赤目画像１８１L上の顔領域１８１La、及びカメラ１２１Rからの赤目画像１８１R上の顔領域１８１Raに基づいて、瞳孔１４１Lの瞳孔位置及び瞳孔１４１Rの瞳孔位置を検出し、算出部１２４に供給する。
【０２０４】
ステップＳ８７では、算出部１２４は、検出部１２３からの、ユーザの左右の瞳孔の瞳孔位置に基づいて、瞳孔間隔を算出し、画像処理部４４に供給する。
【０２０５】
ステップＳ８８では、算出部１２４は、テレビジョン受像機１０１の３次元位置と、検出部１２３からの、ユーザの左右の瞳孔の瞳孔位置（３次元位置）に基づいて、視聴距離を算出し、画像処理部４４に供給する。なお、算出部１２４は、図示せぬ内蔵のメモリに、テレビジョン受像機１０１の３次元位置を予め保持しているものとする。
【０２０６】
ステップＳ８９乃至ステップＳ９１では、画像処理部４４は、算出部１２４からの瞳孔間隔及び視聴距離に基づいて、図１４のステップＳ６４乃至ステップＳ６６と同様の処理を行う。以上で第２のサイズ調整処理は終了される。
【０２０７】
以上説明したように、第２のサイズ調整処理では、ユーザに３Dメガネ２２を装着させることなく、ユーザの瞳孔間隔及び視聴距離を算出するようにした。そして、ディスプレイ４５に表示させる３次元画像の大きさを、算出した瞳孔間隔及び視聴距離に基づく推奨画面の大きさに変更するようにした。
【０２０８】
したがって、例えば、ユーザに、３Dメガネ２２を装着する煩わしさを感じさせることなく、コンテンツの製作者の意図した立体感で、３次元画像としてのコンテンツを視聴させることが可能となる。
【０２０９】
また、例えば、第２のサイズ調整処理において、ステップＳ８１乃至ステップＳ８６の処理を複数回行うようにして、その結果得られる複数の瞳孔間隔のうち、最頻の瞳孔間隔を、最終的な瞳孔間隔として算出するようにしてもよい。この場合、ステップＳ８１乃至ステップＳ８６の処理を１回だけ行う場合と比較して、瞳孔間隔を算出する精度を向上させることができる。
【０２１０】
なお、第２のサイズ調整処理において、ステップＳ８１乃至ステップＳ８６の処理を複数回行うようにして、その結果得られる複数の瞳孔間隔の平均を、最終的な瞳孔間隔とするようにしてもよい。
【０２１１】
また、第２の実施の形態において、２台のカメラ１２１R及びカメラ１２１Lを用いるようにして、ユーザの瞳孔間隔及び視聴距離を算出するようにしたが、ユーザの瞳孔間隔及び視聴距離の算出方法は、これに限定されない。
【０２１２】
すなわち、例えば、テレビジョン受像機１０１において、図１の視聴距離計測部４３のような測距センサを設けるようにして、視聴距離を算出してもよい。
【０２１３】
また、例えば、テレビジョン受像機１０１において、ユーザを撮像して得られる撮像画像から検出される顔領域に基づいて、顔の横幅を検出し、顔の横幅と瞳孔間隔との間に一定の関係があることを利用して、瞳孔間隔を算出してもよい。
【０２１４】
さらに、例えば、テレビジョン受像機１０１において、ユーザを撮像して得られる撮像画像上における、左右の瞳孔の間隔を検出し、その検出結果と、視聴距離とに基づいて、ユーザの瞳孔間隔を算出することができる。
【０２１５】
また、第２のサイズ調整処理は、例えば、ユーザが、リモートコントローラ１０２の最適化ボタン１０２bを押下したときに開始されるようにしたが、第２のサイズ調整処理を開始するトリガは、これに限定されない。
【０２１６】
すなわち、例えば、第２のサイズ調整処理は、テレビジョン受像機１０１の電源がオンされてから所定の時間が経過した後に開始されるようにしてもよいし、コンテンツとしての番組がテレビコマーシャル中であるときに開始されるようにしてもよい。
【０２１７】
また、テレビジョン受像機１０１において、複数のユーザが同時にコンテンツを視聴する場合、各ユーザ毎に算出される複数の拡大率のうち、最小の拡大率でコンテンツを拡大して、ディスプレイ４５に表示させるようにしてもよい。この場合、いずれのユーザにおいても、コンテンツとしての３次元画像の立体感を強く感じてしまう事態を防止できる。
【０２１８】
さらに、テレビジョン受像機１０１において、複数のユーザが同時にコンテンツを視聴する場合、各ユーザ毎に算出される複数の拡大率の平均でコンテンツを拡大して、ディスプレイ４５に表示させることもできる。
【０２１９】
＜３．変形例＞
第１及び第２の実施の形態では、ディスプレイ４５に３次元画像を表示させる場合について説明したが、本開示の技術は、ディスプレイ４５に２次元画像を表示させる場合についても適用できる。
【０２２０】
なお、ディスプレイ４５に２次元画像を表示させる場合には、３Ｄメガネ２２は、ユーザの瞳孔間隔を計測するための機構が設けられていればよく、例えば、右眼用シャッタ２２R1及び左眼用シャッタ２２L1を設ける必要はない。
【０２２１】
また、３Ｄメガネ２２に、右眼用シャッタ２２R1及び左眼用シャッタ２２L1を設けたままとし、遮蔽を解除するタイミングを、各ユーザ毎に異なるようにして、各ユーザが、１個のディスプレイ４５を用いて、それぞれ異なるコンテンツを視聴することもできる。
【０２２２】
すなわち、例えば、第１のユーザがコンテンツＡを視聴し、第２のユーザがコンテンツＢを視聴する場合、ディスプレイ４５は、表示タイミングt1,t2,t3,t4,…に同期して、例えば、表示タイミングt1でコンテンツＡの２次元画像、表示タイミングt2でコンテンツＢの２次元画像、表示タイミングt3でコンテンツＡの２次元画像、表示タイミングt4でコンテンツＢの２次元画像、…の順序で表示する。
【０２２３】
第１のユーザに装着された３Dメガネ２２は、表示タイミングt1,t3,…に同期して、左眼用シャッタ２２L1及び右眼用シャッタ２２R1による視界の遮蔽を解除する。また、第１のユーザに装着された３Dメガネ２２は、その他の表示タイミングt2,t4,…に同期して、左眼用シャッタ２２L1及び右眼用シャッタ２２R1による視界の遮蔽を維持させる。
【０２２４】
また、第２のユーザに装着された３Dメガネ２２は、表示タイミングt2,t4,…に同期して、左眼用シャッタ２２L1及び右眼用シャッタ２２R1による視界の遮蔽を解除する。また、第２のユーザに装着された３Dメガネ２２は、その他の表示タイミングt1,t3,…に同期して、左眼用シャッタ２２L1及び右眼用シャッタ２２R1による視界の遮蔽を維持させる。
【０２２５】
なお、第１の実施の形態において、３Ｄメガネ２２は、ユーザの瞳孔間隔を算出するようにした。しかしながら、例えば、３Ｄメガネ２２が、瞳孔間隔の他、視聴距離も算出し、算出した瞳孔間隔と視聴距離、及びテレビジョン受像機２１のディスプレイ４５の画面対角rdiに基づいて拡大率rdi/vdiを算出して、テレビジョン受像機２１に送信するようにしてもよい。なお、この場合、３Ｄメガネ２２は、テレビジョン受像機２１のディスプレイ４５の画面対角rdiを予め保持しているものとする。
【０２２６】
さらに、第１及び第２の実施の形態では、画像処理部４４は、チューナ４１からの放送信号に基づき得られる画像信号に対応する画像を対象として、処理を行うようにしたが、例えば、ハードディスク等の記録媒体に記録されたコンテンツを対象として処理を行うことができる。
【０２２７】
また、第１及び第２の実施の形態では、本開示の技術を、テレビジョン受像機２１及びテレビジョン受像機１０１に適用した場合について説明したが、その他、例えば、コンテンツを表示する携帯電話機やパーソナルコンピュータ等に適用できる。
【０２２８】
すなわち、コンテンツを表示する電子機器であれば、どのような電子機器に対しても、本開示の技術を適用することができる。
【０２２９】
なお、本技術は以下のような構成もとることができる。
（１）
画像により構成されるコンテンツを取得するコンテンツ取得部と、
前記コンテンツを表示部に表示させる表示制御部と、
前記コンテンツを視聴するユーザの左右の瞳孔の間隔を表す瞳孔間隔を取得する瞳孔間隔取得部と、
前記瞳孔間隔に基づいて、所定の処理を行う処理実行部と
を含む表示制御装置。
（２）
前記ユーザまでの距離を表す視聴距離を取得する視聴距離取得部をさらに含み、
前記処理実行部は、前記瞳孔間隔及び前記視聴距離に基づき、前記コンテンツ取得部により取得された第１の前記コンテンツを変更して得られる第２の前記コンテンツを生成する処理を行い、
前記表示制御部は、前記第２のコンテンツを構成する各画像を、前記表示部に表示させる
前記（１）に記載の表示制御装置。
（３）
前記処理実行部は、前記第１のコンテンツを構成する各画像の大きさを、前記瞳孔間隔及び前記視聴距離に基づく大きさに変更して得られる前記第２のコンテンツを生成する処理を行う
前記（２）に記載の表示制御装置。
（４）
前記コンテンツ取得部は、前記ユーザの左眼に視認させる左眼用２次元画像と、前記ユーザの右眼に視認させる右眼用２次元画像とからなる３次元画像により構成される前記第１のコンテンツを取得し、
前記処理実行部は、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行う
前記（２）に記載の表示制御装置。
（５）
前記処理実行部は、前記瞳孔間隔に基づき決定されるメッセージを、画像又は音声の少なくとも一方により前記ユーザに提示する処理を行う
前記（１）に記載の表示制御装置。
（６）
前記処理実行部は、前記瞳孔間隔に応じた距離だけ離れて前記コンテンツを視聴するように促す前記メッセージを、画像又は音声の少なくとも一方により前記ユーザに提示する処理を行う
前記（５）に記載の表示制御装置。
（７）
複数の前記ユーザには、それぞれ、前記ユーザの視界を制限し、前記ユーザ毎に異なるタイミングで前記視界の制限を解除するための装置が装着されており、
前記表示制御部は、前記ユーザが視聴する前記第２のコンテンツを構成する各画像を、前記ユーザ毎に異なる前記タイミングに同期して表示させる
前記（２）乃至（６）に記載の表示制御装置。
（８）
前記瞳孔間隔取得部は、前記コンテンツの視聴時に前記ユーザに装着される送信装置から送信されてくる前記瞳孔間隔を受信して取得する
前記（１）乃至（７）に記載の表示制御装置。
（９）
前記瞳孔間隔取得部は、前記ユーザの瞳孔間隔を算出して取得し、
前記視聴距離取得部は、前記視聴距離を算出して取得する
前記（１）乃至（７）に記載の表示制御装置。
（１０）
画像により構成されるコンテンツを表示させる表示制御装置の表示制御方法において、
前記表示制御装置による、
複数の画像により構成されるコンテンツを取得するコンテンツ取得ステップと、
前記コンテンツを表示部に表示させる表示制御ステップと、
前記コンテンツを視聴するユーザの左右の瞳孔の間隔を表す瞳孔間隔を取得する瞳孔間隔取得ステップと、
前記瞳孔間隔に基づいて、所定の処理を行う処理実行ステップと
を含む表示制御方法。
（１１）
コンピュータに、
画像により構成されるコンテンツを取得するコンテンツ取得ステップと、
前記コンテンツを表示部に表示させる表示制御ステップと、
前記コンテンツを視聴するユーザの左右の瞳孔の間隔を表す瞳孔間隔を取得する瞳孔間隔取得ステップと、
前記瞳孔間隔に基づいて、所定の処理を行う処理実行ステップと
を含む処理を実行させるためのプログラム。
（１２）
前記ユーザまでの距離を表す視聴距離を取得する視聴距離取得ステップをさらに含み、
前記処理実行ステップは、前記瞳孔間隔及び前記視聴距離に基づき、前記コンテンツ取得部により取得された第１の前記コンテンツを変更して得られる第２の前記コンテンツを生成する処理を行い、
前記表示制御ステップは、前記第２のコンテンツを前記表示部に表示させる
前記（１１）に記載のプログラム。
（１３）
前記処理実行ステップは、前記第１のコンテンツを構成する各画像の大きさを、前記瞳孔間隔及び前記視聴距離に基づく大きさに変更して得られる前記第２のコンテンツを生成する処理を行う
前記（１２）に記載のプログラム。
（１４）
前記コンテンツ取得ステップは、前記ユーザの左眼に視認させる左眼用２次元画像と、前記ユーザの右眼に視認させる右眼用２次元画像とからなる３次元画像により構成される前記第１のコンテンツを取得し、
前記処理実行ステップは、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行う
前記（１２）に記載のプログラム。
（１５）
前記処理実行ステップは、前記瞳孔間隔に基づき決定されるメッセージを、画像又は音声の少なくとも一方により前記ユーザに提示する処理を行う
前記（１１）に記載のプログラム。
（１６）
コンテンツの視聴時にユーザに装着される検出装置において、
前記ユーザの左右の瞳孔の間隔を表す瞳孔間隔を検出する瞳孔間隔検出部と、
前記瞳孔間隔を送信する送信部と
を含む検出装置。
（１７）
前記ユーザの左眼の瞳孔の位置に移動される第１の板状部材と、
前記ユーザの右眼の瞳孔の位置に移動される第２の板状部材と、
前記第１の板状部材と前記第２の板状部材との位置合わせに応じて伸縮する可動ブリッジと
をさらに含み、
前記瞳孔間隔検出部は、前記可動ブリッジの長さに基づいて、前記ユーザの瞳孔間隔を検出する
前記（１６）に記載の検出装置。
（１８）
前記視聴距離を算出する視聴距離算出部をさらに含み、
前記送信部は、前記視聴距離も送信する
前記（１６）に記載の検出装置。
（１９）
コンテンツの視聴時にユーザに装着される検出装置の検出方法において、
前記検出装置による、
前記ユーザの左右の瞳孔の間隔を表す瞳孔間隔を検出する瞳孔間隔検出ステップと、
前記瞳孔間隔を送信する送信ステップと
を含む検出方法。
（２０）
ユーザにより装着される検出装置と、前記ユーザにより視聴されるコンテンツを表示させる表示制御装置とにより構成される表示システムにおいて、
前記検出装置は、
前記ユーザの左右の瞳孔の間隔を表す瞳孔間隔を検出する瞳孔間隔検出部と、
前記瞳孔間隔を送信する送信部と
を含み、
前記表示制御装置は、
画像により構成されるコンテンツを取得するコンテンツ取得部と、
前記コンテンツを表示部に表示させる表示制御部と、
前記送信部から送信されてくる前記瞳孔間隔を受信する瞳孔間隔受信部と、
前記瞳孔間隔に基づいて、所定の処理を行う処理実行部と
を含む表示システム。
【０２３０】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【０２３１】
[コンピュータの構成例]
図２０は、上述した一連の処理をプログラムにより実行するコンピュータのハードウェアの構成例を示している。
【０２３２】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０２３３】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０２３４】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０２３５】
また、通信部２０９を介してプログラムを取得し、記憶部２０８に記憶してもよい。
【０２３６】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０２３７】
コンピュータにインストールされ、コンピュータによって実行可能な状態とされるプログラムを記録（記憶）する記録媒体は、図２０に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０２３８】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０２３９】
なお、本開示における実施の形態は、上述した第１及び第２の実施の形態に限定されるものではなく、本開示の要旨を逸脱しない範囲において種々の変更が可能である。
【符号の説明】
【０２４０】
２１  テレビジョン受像機，  ２２  ３Ｄメガネ，  ２２R1  右眼用シャッタ，  ２２L1  左眼用シャッタ，  ２２R2  右眼用パネル，  ２２L2  左眼用パネル，  ２２a  可動ブリッジ，  ２２b  送信ボタン，  ２２c  瞳孔間隔送信部，  ２３  リモートコントローラ，  ２３a  電源ボタン，  ４１  チューナ，  ４２  瞳孔間隔受信部，  ４３  視聴距離計測部，  ４４  画像処理部，  ４４a  メモリ，  ４５  ディスプレイ，  ４６  スピーカ，  ４７  制御部，  ４８  受光部，  ６１  計測部，  ６１a  メモリ，  ６２  記憶部，  ６３  送信部，  １０１  テレビジョン受像機，  １０２  リモートコントローラ，  １０２a  電源ボタン，  １０２b  最適化ボタン，  １２１R,１２１L  カメラ，  １２２  発光部，  １２３  検出部，  １２４  算出部
【図１】
2012205267.tif 000003
【図２】
2012205267.tif 000004
【図３】
2012205267.tif 000005
【図４】
2012205267.tif 000006
【図５】
2012205267.tif 000007
【図６】
2012205267.tif 000008
【図７】
2012205267.tif 000009
【図８】
2012205267.tif 000010
【図９】
2012205267.tif 000011
【図１０】
2012205267.tif 000012
【図１１】
2012205267.tif 000013
【図１２】
2012205267.tif 000014
【図１３】
2012205267.tif 000015
【図１４】
2012205267.tif 000016
【図１５】
2012205267.tif 000017
【図１６】
2012205267.tif 000018
【図１７】
2012205267.tif 000019
【図１８】
2012205267.tif 000020
【図１９】
2012205267.tif 000021
【図２０】
2012205267.tif 000022